(57)【要約】【課題】印刷物の廃棄量を大幅に抑制し、印刷パンフレットの印刷・配布コスト及び電子パンフレットの印刷コストの合計額を略最小に抑制すると共に、旅行会社間相互や旅行会社と取扱店間での決済を簡単に行うことができる印刷管理装置を提供する。【解決手段】印刷物の印刷を行う印刷装置の印刷履歴データを記憶しておく。通信回線を介して、他の旅行会社の取扱店端末から、旅行商品発売元旅行会社の旅行商品情報に対する印刷指示を受信した場合、旅行商品情報に基づく印刷データを生成する。その生成した印刷データと同一の印刷データによる印刷履歴データを取得する。その取得した印刷履歴データに基づいて、生成した印刷データの印刷の印刷料金を取扱店が負担する負担比率を決定する。そして、決定された負担比率と、印刷装置のページ当たりの印刷コストに基づいて、取扱店が負担する、生成した印刷データの印刷料金を算出する。【選択図】  図４
2005018275.tif 000002
【特許請求の範囲】
【請求項１】
複数種類の旅行会社間で互いに他社の旅行商品を取り扱うことが可能な取扱店が有する取扱店端末と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理装置であって、
前記印刷物の印刷を行う印刷装置の印刷履歴データを記憶する記憶手段と、
前記通信回線を介して、前記他の旅行会社の取扱店端末から、前記旅行商品発売元旅行会社の旅行商品情報に対する印刷指示を受信した場合、前記旅行商品情報に基づく印刷データを生成する生成手段と、
前記生成手段で生成した印刷データと同一の印刷データによる印刷履歴データを前記記憶手段より取得する取得手段と、
前記取得手段で取得した印刷履歴データに基づいて、前記生成手段で生成した印刷データの印刷の印刷料金を前記取扱店が負担する負担比率を決定する決定手段と、
前記決定手段で決定された負担比率と、前記印刷装置のページ当たりの印刷コストに基づいて、前記取扱店が負担する、前記生成手段で生成した印刷データの印刷料金を算出する算出手段と
を備えることを特徴とする印刷管理装置。
【請求項２】
前記決定手段は、前記旅行会社発売元の旅行商品情報に基づく印刷物の発行予定数の内の所定数と、前記印刷履歴データに含まれる前記旅行商品情報に基づく印刷データの印刷数とに基づいて、前記負担比率を決定する
ことを特徴とする請求項１に記載の印刷管理装置。
【請求項３】
前記算出手段は、前記負担比率と前記印刷コストに基づいて、前記取扱店が負担する、前記印刷データの印刷の１ページ当たりの基本料金を算出する基本料金算出手段と、
前記取扱店の売上実績に基づいて、前記基本料金を補正する第１補正手段と、前記印刷指示に広告を掲載する指示が含まれる場合、前記広告に設定されている広告控除費用に基づいて、前記基本料金を補正する第２補正手段とを備え、
前記基本料金算出手段と、前記第１及び第２補正手段によるそれぞれの処理結果に基づいて、前記印刷料金を算出する
ことを特徴とする請求項１に記載の印刷管理装置。
【請求項４】
前記印刷指示の正当性を判定する判定手段と、
前記判定手段の判定結果に基づいて、前記算出手段で算出した印刷料金を確定する確定手段と
を更に備えることを請求項１に記載の印刷管理装置。
【請求項５】
所定期間毎に前記取扱店の前記印刷データによる印刷の合計印刷料金を集計する集計手段と、
前記発行予定数に対する印刷コスト総額と前記合計印刷料金との差額を算出する差額算出手段と、
前記差額に基づいて、前記取扱店の前記印刷データによる印刷に対する最終課金額を決定する課金額決定手段と
を更に備えることを特徴とする請求項１に記載の印刷管理装置。
【請求項６】
複数種類の旅行会社間で互いに他社の旅行商品を取り扱うことが可能な取扱店が有する取扱店端末と、該取扱店端末から受信した印刷指示に対する印刷データを生成するサーバと通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷装置であって、
前記通信回線を介して、前記サーバより受信した前記印刷データと同一の印刷データによる印刷履歴データを該サーバより取得する取得手段と、
前記取得手段で取得した印刷履歴データに基づいて、前記印刷データの印刷の印刷料金を前記取扱店端末を有する取扱店が負担する負担比率を決定する決定手段と、
前記決定手段で決定された負担比率と、当該印刷装置のページ当たりの印刷コストに基づいて、前記取扱店が負担する、前記印刷データの印刷料金を算出する算出手段と
を備えることを特徴とする印刷装置。
【請求項７】
印刷装置と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する情報処理装置であって、
前記通信回線を介して、処理対象の印刷データと同一の印刷データによる印刷履歴データを前記印刷装置より取得する取得手段と、
前記取得手段で取得した印刷履歴データに基づいて、前記印刷データの印刷の印刷料金を当該情報処理装置を有する取扱店が負担する負担比率を決定する決定手段と、
前記決定手段で決定された負担比率と、当該印刷装置のページ当たりの印刷コストに基づいて、前記取扱店が負担する、前記印刷データの印刷料金を算出する算出手段と
を備えることを特徴とする情報処理装置。
【請求項８】
複数種類の旅行会社間で互いに他社の旅行商品を取り扱うことが可能な取扱店が有する取扱店端末と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理装置の制御方法であって、
前記通信回線を介して、前記他の旅行会社の取扱店端末から、前記旅行商品発売元旅行会社の旅行商品情報に対する印刷指示を受信した場合、前記旅行商品情報に基づく印刷データを生成する生成工程と、
前記生成工程で生成した印刷データと同一の印刷データによる印刷履歴データを、前記印刷データの印刷を行う印刷装置より取得する取得工程と、
前記取得工程で取得した印刷履歴データに基づいて、前記生成工程で生成した印刷データの印刷の印刷料金を前記取扱店が負担する負担比率を決定する決定工程と、
前記決定工程で決定された負担比率と、前記印刷装置のページ当たりの印刷コストに基づいて、前記取扱店が負担する、前記生成工程で生成した印刷データの印刷料金を算出する算出工程と
を備えることを特徴とする印刷管理装置の制御方法。
【請求項９】
複数種類の旅行会社間で互いに他社の旅行商品を取り扱うことが可能な取扱店が有する取扱店端末と、該取扱店端末から受信した印刷指示に対する印刷データを生成するサーバと通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷装置の制御方法であって、
前記通信回線を介して、前記サーバより受信した前記印刷データと同一の印刷データによる印刷履歴データを該サーバより取得する取得工程と、
前記取得工程で取得した印刷履歴データに基づいて、前記印刷データの印刷の印刷料金を前記取扱店端末を有する取扱店が負担する負担比率を決定する決定工程と、
前記決定工程で決定された負担比率と、当該印刷装置のページ当たりの印刷コストに基づいて、前記取扱店が負担する、前記印刷データの印刷料金を算出する算出工程と
を備えることを特徴とする印刷装置の制御方法。
【請求項１０】
印刷装置と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する情報処理装置の制御方法であって、
前記通信回線を介して、処理対象の印刷データと同一の印刷データによる印刷履歴データを前記印刷装置より取得する取得工程と、
前記取得工程で取得した印刷履歴データに基づいて、前記印刷データの印刷の印刷料金を当該情報処理装置を有する取扱店が負担する負担比率を決定する決定工程と、
前記決定工程で決定された負担比率と、当該印刷装置のページ当たりの印刷コストに基づいて、前記取扱店が負担する、前記印刷データの印刷料金を算出する算出工程と
を備えることを特徴とする情報処理装置の制御方法。
【請求項１１】
複数種類の旅行会社間で互いに他社の旅行商品を取り扱うことが可能な取扱店が有する取扱店端末と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理装置の制御を実現するプログラムであって、
前記通信回線を介して、前記他の旅行会社の取扱店端末から、前記旅行商品発売元旅行会社の旅行商品情報に対する印刷指示を受信した場合、前記旅行商品情報に基づく印刷データを生成する生成工程のプログラムコードと、
前記生成工程で生成した印刷データと同一の印刷データによる印刷履歴データを、前記印刷データの印刷を行う印刷装置より取得する取得工程のプログラムコードと、
前記取得工程で取得した印刷履歴データに基づいて、前記生成工程で生成した印刷データの印刷の印刷料金を前記取扱店が負担する負担比率を決定する決定工程のプログラムコードと、
前記決定工程で決定された負担比率と、前記印刷装置のページ当たりの印刷コストに基づいて、前記取扱店が負担する、前記生成工程で生成した印刷データの印刷料金を算出する算出工程のプログラムコードと
を備えることを特徴とするプログラム。
【請求項１２】
複数種類の旅行会社間で互いに他社の旅行商品を取り扱うことが可能な取扱店が有する取扱店端末と、該取扱店端末から受信した印刷指示に対する印刷データを生成するサーバと通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷装置の制御を実現するプログラムであって、
前記通信回線を介して、前記サーバより受信した前記印刷データと同一の印刷データによる印刷履歴データを該サーバより取得する取得工程のプログラムコードと、
前記取得工程で取得した印刷履歴データに基づいて、前記印刷データの印刷の印刷料金を前記取扱店端末を有する取扱店が負担する負担比率を決定する決定工程のプログラムコードと、
前記決定工程で決定された負担比率と、当該印刷装置のページ当たりの印刷コストに基づいて、前記取扱店が負担する、前記印刷データの印刷料金を算出する算出工程のプログラムコードと
を備えることを特徴とするプログラム。
【請求項１３】
印刷装置と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する情報処理装置の制御を実現するプログラムであって、
前記通信回線を介して、処理対象の印刷データと同一の印刷データによる印刷履歴データを前記印刷装置より取得する取得工程のプログラムコードと、
前記取得工程で取得した印刷履歴データに基づいて、前記印刷データの印刷の印刷料金を当該情報処理装置を有する取扱店が負担する負担比率を決定する決定工程のプログラムコードと、
前記決定工程で決定された負担比率と、当該印刷装置のページ当たりの印刷コストに基づいて、前記取扱店が負担する、前記印刷データの印刷料金を算出する算出工程のプログラムコードと
を備えることを特徴とするプログラム。
【発明の詳細な説明】
【０００１】
【発明の属する技術分野】
本発明は、複数種類の旅行会社間で互いに他社の旅行商品を取り扱うことが可能な環境において、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理システムにおける印刷管理装置、印刷装置、情報処理装置及びそれらの制御方法、プログラムに関するものである。
【０００２】
【従来の技術】
従来より、旅行業界では同業他社の旅行商品を売るという特殊な業態になっている。つまり、競合会社の旅行商品の取扱店となって、競合会社の旅行商品を売ることで、その際の手数料を稼いでいる。
【０００３】
このような旅行業界では、旅行商品を消費者に認知させるために、その旅行商品を案内する印刷パンフレットを大量に印刷して取扱店（各支店や代理店）に配布している。取扱店として旅行商品を売る場合も、このパンフレットを商品発売元から大量に受け取り、その印刷パンフレットを店頭に置くなどして、顧客が商品を知ることができるようにしている。
【０００４】
また、最近では、この印刷パンフレットを電子化して、インターネットで公開して閲覧に供したり、必要に応じて店頭で印刷する等の方法も検討されている。
【０００５】
例えば、特許文献１では、従来のプリントサーバとは独立した課金サーバを設け、このサーバで集中的に印刷の課金を管理する構成が提案されている。具体的には、クライアントは課金サーバに印刷データとパラメータを送信し、折り返し印刷許可ファイルを受信する。これに対し、課金サーバは課金計算を行う。そして、クライアントは印刷許可ファイルに続いて印刷データを印刷サーバに送信する。
【０００６】
また、特許文献２では、印刷装置やクライアントのコスト増を招くことなく、作成者毎又は部門毎の課金情報を容易に得る構成が提案されている。具体的には、クライアントから印刷データの送信開始時に、印刷データに印刷装置に対して印刷実行前の印刷枚数カウンタの値を取得するコマンドを付加し、印刷データの送信終了時に印刷実行後のカウンタの値を取得するコマンド゛を付加する。
【０００７】
【特許文献１】
特許第２８９１９８１号
【特許文献２】
特許第３１９８９７６号
【０００８】
【発明が解決しようとする課題】
しかしながら、上記のような旅行業界では、以下のような課題が生じている。
【０００９】
・旅行を検討している人は、例えば、スイスに行こうとしている人は、旅行会社のヨーロッパ旅行の印刷パンフレットを取扱店で数冊持って帰り、家で検討するなどしてから、そのうちの１つを選んで取扱店で申し込むなどしている。この場合、例えば、印刷パンフレットを５冊持ち帰っていた場合、それら印刷パンフレットの内、４冊は結果的には無駄になってしまう。
【００１０】
また、５冊の印刷パンフレットそれぞれが１００ページからのパンフレットで構成され、その中の８ページ分がスイス旅行のページであるとすると、本来４０ページ分の情報があれば足りるのに、実際には、５００ページ分の印刷物が「消費」される。
【００１１】
・取扱店は商品発売元の旅行会社から印刷パンフレットを無料で提供してもらっているので、通常は、十分な量を確保しておくために、必要部数以上にパンフレットを貰っている。しかしながら、その印刷パンフレットで紹介されている旅行の募集期間が終了すると、その印刷パンフレットは不要となる。そのため、場合によっては、その不要な印刷パンフレットを大量に廃棄することになり、紙資源の無駄になっているという課題がある。
【００１２】
これを防ぐためには、印刷パンフレットを提供する商品発売元の旅行会社側が提供部数を減らすことも考えられるが、大幅に減らすと機会損失となる場合があるので簡単には提供部数の削減には踏み切れない。
【００１３】
つまり、提供部数を減らすと、印刷パンフレットが特定の取扱店で欠品し消費者に認知してもらえないとか、取扱店は複数の旅行会社の商品を扱っているためパンフレットの陳列棚を減らされてしまう等の理由で、結果として大量に廃棄する可能性があると認識しつつも、提供部数を減らすことができなかった。
【００１４】
・電子パンフレットを導入した場合、必要に応じて取扱店内のプリンタ等の出力機器で印刷することになるが、通常、取扱店で行う印刷の印刷コストは、印刷物を大量に印刷することが可能な印刷会社の印刷機で印刷する場合の印刷コストよりも高くなるため、全体的に見れば却ってコストが嵩むことになりかねない。
【００１５】
加えて、旅行会社の費用負担を前提にして、取扱店で電子パンフレットが多量に印刷されると、特にコスト高は顕著になる。反面、取扱店側にも電子パンフレットの印刷コストを負担させると、電子パンフレットの導入が進まないという課題がある。
【００１６】
本発明は上記の課題に鑑みてなされたものであり、印刷物の廃棄量を大幅に抑制し、印刷パンフレットの印刷・配布コスト及び電子パンフレットの印刷コストの合計額を略最小に抑制すると共に、旅行会社間相互や旅行会社と取扱店間での決済を簡単に行うことができる印刷管理装置、印刷装置、情報処理装置及びそれらの制御方法、プログラムを提供することを目的とする。
【００１７】
【課題を解決するための手段】
上記の目的を達成するための本発明による印刷管理装置は以下の構成を備える。即ち、
複数種類の旅行会社間で互いに他社の旅行商品を取り扱うことが可能な取扱店が有する取扱店端末と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理装置であって、
前記印刷物の印刷を行う印刷装置の印刷履歴データを記憶する記憶手段と、
前記通信回線を介して、前記他の旅行会社の取扱店端末から、前記旅行商品発売元旅行会社の旅行商品情報に対する印刷指示を受信した場合、前記旅行商品情報に基づく印刷データを生成する生成手段と、
前記生成手段で生成した印刷データと同一の印刷データによる印刷履歴データを前記記憶手段より取得する取得手段と、
前記取得手段で取得した印刷履歴データに基づいて、前記生成手段で生成した印刷データの印刷の印刷料金を前記取扱店が負担する負担比率を決定する決定手段と、
前記決定手段で決定された負担比率と、前記印刷装置のページ当たりの印刷コストに基づいて、前記取扱店が負担する、前記生成手段で生成した印刷データの印刷料金を算出する算出手段と
を備える。
【００１８】
また、好ましくは、前記決定手段は、前記旅行会社発売元の旅行商品情報に基づく印刷物の発行予定数の内の所定数と、前記印刷履歴データに含まれる前記旅行商品情報に基づく印刷データの印刷数とに基づいて、前記負担比率を決定する。
【００１９】
また、好ましくは、前記算出手段は、前記負担比率と前記印刷コストに基づいて、前記取扱店が負担する、前記印刷データの印刷の１ページ当たりの基本料金を算出する基本料金算出手段と、
前記取扱店の売上実績に基づいて、前記基本料金を補正する第１補正手段と、
前記印刷指示に広告を掲載する指示が含まれる場合、前記広告に設定されている広告控除費用に基づいて、前記基本料金を補正する第２補正手段とを備え、
前記基本料金算出手段と、前記第１及び第２補正手段によるそれぞれの処理結果に基づいて、前記印刷料金を算出する。
【００２０】
また、好ましくは、前記印刷指示の正当性を判定する判定手段と、
前記判定手段の判定結果に基づいて、前記算出手段で算出した印刷料金を確定する確定手段と
を更に備える。
【００２１】
また、好ましくは、所定期間毎に前記取扱店の前記印刷データによる印刷の合計印刷料金を集計する集計手段と、
前記発行予定数に対する印刷コスト総額と前記合計印刷料金との差額を算出する差額算出手段と、
前記差額に基づいて、前記取扱店の前記印刷データによる印刷に対する最終課金額を決定する課金額決定手段と
を更に備える。
【００２２】
上記の目的を達成するための本発明による印刷装置は以下の構成を備える。即ち、
複数種類の旅行会社間で互いに他社の旅行商品を取り扱うことが可能な取扱店が有する取扱店端末と、該取扱店端末から受信した印刷指示に対する印刷データを生成するサーバと通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷装置であって、
前記通信回線を介して、前記サーバより受信した前記印刷データと同一の印刷データによる印刷履歴データを該サーバより取得する取得手段と、
前記取得手段で取得した印刷履歴データに基づいて、前記印刷データの印刷の印刷料金を前記取扱店端末を有する取扱店が負担する負担比率を決定する決定手段と、
前記決定手段で決定された負担比率と、当該印刷装置のページ当たりの印刷コストに基づいて、前記取扱店が負担する、前記印刷データの印刷料金を算出する算出手段と
を備える。
【００２３】
上記の目的を達成するための本発明による情報処理装置は以下の構成を備える。即ち、
印刷装置と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する情報処理装置であって、
前記通信回線を介して、処理対象の印刷データと同一の印刷データによる印刷履歴データを前記印刷装置より取得する取得手段と、
前記取得手段で取得した印刷履歴データに基づいて、前記印刷データの印刷の印刷料金を当該情報処理装置を有する取扱店が負担する負担比率を決定する決定手段と、
前記決定手段で決定された負担比率と、当該印刷装置のページ当たりの印刷コストに基づいて、前記取扱店が負担する、前記印刷データの印刷料金を算出する算出手段と
を備える。
【００２４】
上記の目的を達成するための本発明による印刷管理装置の制御方法は以下の構成を備える。即ち、
複数種類の旅行会社間で互いに他社の旅行商品を取り扱うことが可能な取扱店が有する取扱店端末と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理装置の制御方法であって、
前記通信回線を介して、前記他の旅行会社の取扱店端末から、前記旅行商品発売元旅行会社の旅行商品情報に対する印刷指示を受信した場合、前記旅行商品情報に基づく印刷データを生成する生成工程と、
前記生成工程で生成した印刷データと同一の印刷データによる印刷履歴データを、前記印刷データの印刷を行う印刷装置より取得する取得工程と、
前記取得工程で取得した印刷履歴データに基づいて、前記生成工程で生成した印刷データの印刷の印刷料金を前記取扱店が負担する負担比率を決定する決定工程と、
前記決定工程で決定された負担比率と、前記印刷装置のページ当たりの印刷コストに基づいて、前記取扱店が負担する、前記生成工程で生成した印刷データの印刷料金を算出する算出工程と
を備える。
【００２５】
上記の目的を達成するための本発明による印刷装置の制御方法は以下の構成を備える。即ち、
複数種類の旅行会社間で互いに他社の旅行商品を取り扱うことが可能な取扱店が有する取扱店端末と、該取扱店端末から受信した印刷指示に対する印刷データを生成するサーバと通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷装置の制御方法であって、
前記通信回線を介して、前記サーバより受信した前記印刷データと同一の印刷データによる印刷履歴データを該サーバより取得する取得工程と、
前記取得工程で取得した印刷履歴データに基づいて、前記印刷データの印刷の印刷料金を前記取扱店端末を有する取扱店が負担する負担比率を決定する決定工程と、
前記決定工程で決定された負担比率と、当該印刷装置のページ当たりの印刷コストに基づいて、前記取扱店が負担する、前記印刷データの印刷料金を算出する算出工程と
を備える。
【００２６】
上記の目的を達成するための本発明による情報処理装置の制御方法は以下の構成を備える。即ち、
印刷装置と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する情報処理装置の制御方法であって、
前記通信回線を介して、処理対象の印刷データと同一の印刷データによる印刷履歴データを前記印刷装置より取得する取得工程と、
前記取得工程で取得した印刷履歴データに基づいて、前記印刷データの印刷の印刷料金を当該情報処理装置を有する取扱店が負担する負担比率を決定する決定工程と、
前記決定工程で決定された負担比率と、当該印刷装置のページ当たりの印刷コストに基づいて、前記取扱店が負担する、前記印刷データの印刷料金を算出する算出工程と
を備える。
【００２７】
上記の目的を達成するための本発明によるプログラムは以下の構成を備える。即ち、
複数種類の旅行会社間で互いに他社の旅行商品を取り扱うことが可能な取扱店が有する取扱店端末と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷管理装置の制御を実現するプログラムであって、
前記通信回線を介して、前記他の旅行会社の取扱店端末から、前記旅行商品発売元旅行会社の旅行商品情報に対する印刷指示を受信した場合、前記旅行商品情報に基づく印刷データを生成する生成工程のプログラムコードと、
前記生成工程で生成した印刷データと同一の印刷データによる印刷履歴データを、前記印刷データの印刷を行う印刷装置より取得する取得工程のプログラムコードと、
前記取得工程で取得した印刷履歴データに基づいて、前記生成工程で生成した印刷データの印刷の印刷料金を前記取扱店が負担する負担比率を決定する決定工程のプログラムコードと、
前記決定工程で決定された負担比率と、前記印刷装置のページ当たりの印刷コストに基づいて、前記取扱店が負担する、前記生成工程で生成した印刷データの印刷料金を算出する算出工程のプログラムコードと
を備える。
【００２８】
上記の目的を達成するための本発明によるプログラムは以下の構成を備える。即ち、
複数種類の旅行会社間で互いに他社の旅行商品を取り扱うことが可能な取扱店が有する取扱店端末と、該取扱店端末から受信した印刷指示に対する印刷データを生成するサーバと通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する印刷装置の制御を実現するプログラムであって、
前記通信回線を介して、前記サーバより受信した前記印刷データと同一の印刷データによる印刷履歴データを該サーバより取得する取得工程のプログラムコードと、
前記取得工程で取得した印刷履歴データに基づいて、前記印刷データの印刷の印刷料金を前記取扱店端末を有する取扱店が負担する負担比率を決定する決定工程のプログラムコードと、
前記決定工程で決定された負担比率と、当該印刷装置のページ当たりの印刷コストに基づいて、前記取扱店が負担する、前記印刷データの印刷料金を算出する算出工程のプログラムコードと
を備える。
【００２９】
上記の目的を達成するための本発明によるプログラムは以下の構成を備える。即ち、
印刷装置と通信回線を介して接続され、旅行商品発売元旅行会社の旅行商品情報に基づく印刷物を他の旅行会社で印刷する際の印刷料金を、前記旅行商品発売元旅行会社と前記他の旅行会社間で負担する負担比率を管理する情報処理装置の制御を実現するプログラムであって、
前記通信回線を介して、処理対象の印刷データと同一の印刷データによる印刷履歴データを前記印刷装置より取得する取得工程のプログラムコードと、
前記取得工程で取得した印刷履歴データに基づいて、前記印刷データの印刷の印刷料金を当該情報処理装置を有する取扱店が負担する負担比率を決定する決定工程のプログラムコードと、
前記決定工程で決定された負担比率と、当該印刷装置のページ当たりの印刷コストに基づいて、前記取扱店が負担する、前記印刷データの印刷料金を算出する算出工程のプログラムコードと
を備える。
【００３０】
【発明の実施の形態】
以下、図面を参照して、本発明の実施形態を詳細に説明する。
【００３１】
尚、以下の説明において、「サーバ」とは、ＷＷＷシステムにおいてＨＴＭＬ文書や画像などの情報を蓄積しておき、Ｗｅｂブラウザなどのクライアントソフトウェアからの要求を受けてインターネットなどの通信回線を通じて情報送信を行うＷｅｂサーバ（ウェブサーバ）や、通信回線ネットワークを通じてユーザからの要求を受けて、データベースシステムなどの処理に橋渡しを行う機能を備えたアプリケーションサーバ（または、Ｗｅｂアプリケーションサーバ）を意味するものである。
【００３２】
また、「クライアント」とは、通信回線においてサーバの提供する機能やデータを利用するコンピュータ、およびソフトウェアを意味するものである。このクライアントとしては、本実施形態では、例えば、通信回線に接続された旅行会社あるいはその旅行会社の旅行商品の取扱店（販売店、代理店や支店等）の端末等のコンピュータ、及びそのコンピュータ上で動作するＷｅｂブラウザ、ビューワ等が該当する。
【００３３】
また、以下に説明する本発明の実施形態では、例えば、インターネットを介するＷｅｂ環境下で、旅行会社間で相互に提供される旅行商品からなるパンフレットの印刷、及びその印刷に伴う課金管理を支援する例を挙げて説明するが、本発明はこのような構成に限定されるものではない。つまり、サーバが提供するサービスに係る処理を実行するための各種操作画面がクライアントのブラウザ（ビューワ）上で表示可能な形態を提供できるようなコンピュータネットワーク環境であれば、本発明を適用することができる。
【００３４】
本発明の目的としては、以下のような点が挙げられる。
【００３５】
１）特定の地域、期間等の検索条件で必要な各旅行会社の旅行商品（電子データ）を検索して収集し、その収集した旅行商品からなる電子パンフレットを印刷可能な印刷管理システムを提供する。また、その際には、旅行商品発売元間の電子パンフレットの負担費用を正確に算出し、課金・相殺できるようにする。
【００３６】
２）電子パンフレットの一部を印刷した場合の旅行商品発売元と取扱店との負担費用を正確に算出し、課金・相殺できるようにする。また、パンフレット毎の電子パンフレット印刷実績を集計し、それを印刷料金と共に記録管理する。
【００３７】
例えば、パンフレット発行予定数の内、所定割合（例えば、７０％）を旅行商品発売元が紙の印刷パンフレットを作成して取扱店に配布する。次に、電子パンフレットの印刷コストについては、発行予定数の７１％〜７５％については、取扱店が３割と旅行商品発売元が７割負担する。また、７６％〜８５％では取扱店と旅行商品発売元が半分づつ負担する。更に、８６％以上では取扱店が全額負担する。負担比率が変わる場合には、取扱店の端末にその旨を示す警告が表示され、あるいは管理者に警告メールが送信される。
【００３８】
尚、この負担比率は、パンフレットの種類や内容、用途や目的に応じて、適宜変更設定することが可能である。
【００３９】
３）印刷管理システムの負担比率を所定期間の売上実績に応じて変動させる。
【００４０】
例えば、３ヶ月間の売上実績を集計して、他の取扱店と比べ売上が多い取扱店では、電子パンフレットの印刷コストの旅行商品発売元の負担比率を上昇させたり、３割であった取扱店の負担比率を２割にする。このように、取扱店の負担比率を、売上実績により軽減させることで、取扱店の販売意欲を促進したり、喚起することが可能となる。
【００４１】
４）電子パンフレット導入前後の総印刷コストを算出して、コスト減少分の所定割合を旅行商品発売元から取扱店にペイバックする。特に、取扱店側で電子パンフレット印刷費用を負担した場合に、優先的にペイバックするようにする。
【００４２】
以下、上記の目的を実現する印刷管理システムの実施形態について説明する。
【００４３】
図１は本発明の実施形態の印刷管理システムの構成を示す図である。
【００４４】
実施形態１の印刷管理システムは、旅行会社（その販売店、支店、代理店等を含む）、ネットワーク事業者（ＩＳＰ、ＡＳＰ等）それぞれが所有する端末間を通信回線１９０を介して相互に接続し、特に、ネットワーク事業者は、異なる旅行業者間で提供される電子パンフレットの印刷、及びその印刷に伴う課金管理を通信回線１９０を介して支援するものである。
【００４５】
尚、図１の通信回線１９０上に接続される各種端末の構成は一例であり、用途や目的に応じて様々な構成例があることは言うまでもない。
【００４６】
ネットワーク事業者はコンテンツ・管理サーバ１００を有し、旅行会社間での電子パンフレットの印刷、及びその印刷に伴う課金処理を実現するサービスを提供する。
【００４７】
このサービスを実現するために、コンテンツ・管理サーバ１００は、印刷に伴う課金に関する課金情報を管理する課金ＤＢ（データベース）、旅行会社の取扱店の端末を介して実行される電子パンフレットの印刷の印刷履歴データを管理する印刷履歴ＤＢ、電子パンフレットを構成するパンフレット情報を管理する電子パンフレットＤＢ、取扱店の端末から入力される検索条件から該当する旅行商品を電子パンフレットＤＢから検索するために、旅行商品の書誌情報を管理する検索用ＤＢを有している。
【００４８】
また、これらのデータベース以外にも、取扱店に関する取扱店情報や、サービスの利用の認証に関する認証情報等の各種情報を管理するデータベースを有している。
【００４９】
旅行会社は少なくともＷｅｂサーバを機能を有する旅行会社サーバ１３０を有し、自社が提供する旅行商品のＷｅｂサイトを公開している。また、このＷｅｂサイトはコンテンツ・管理サーバ１００の電子パンフレットＤＢとリンクしている。
【００５０】
また、旅行会社は、旅行商品情報や、その旅行商品情報から構成される電子パンフレットを作成する専用のパンフレット作成端末ＰＣ（パーソナルコンピュータ）１３５を有し、ここで作成された電子パンフレットはコンテンツ・管理サーバ１００の電子パンフレットＤＢに登録される。
【００５１】
更に、旅行会社の旅行商品を取り扱う取扱店は、旅行会社サーバ１３０と同様の機能を有する取扱店サーバ１４０を有している。
【００５２】
取扱店の種類としては、旅行会社の支店や代理店、販売店等があり、例えば、取扱店端末として、支店は業務ＰＣ−Ａ１８０、代理店は業務ＰＣ−Ｂ１７０を有している。これらの業務ＰＣ−Ａ１８０や業務ＰＣ−Ｂ１７０では、電子パンフレットを構成する旅行商品を検索するための検索条件を入力して、その入力した検索条件に該当する旅行商品情報をコンテンツ・管理サーバ１００より取得することが可能である。
【００５３】
また、業務ＰＣ−Ａ１８０や業務ＰＣ−Ｂ１７０では、印刷対象の電子パンフレットを印刷するための印刷装置Ａ１６０や印刷装置Ｂ１７５をそれぞれ有している。
【００５４】
これらの印刷装置としては、汎用的な各種印刷方式（例えば、レーザービーム方式、インクジェット方式、熱転写方式等）のプリンタや、印刷機能、複写機能、サーバ機能等を有する複合機が挙げられる。
【００５５】
通信回線１９０は、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００５６】
また、通信回線１９０間を介する各種端末間の通信は、安全性を考慮して、ＳＳＬ等のセキュリティ通信を実行することが望ましい。加えて、このセキュリティ通信は、通信環境に基づいて、適宜設定しても良い。例えば、ストック型ではＳＳＬを、転送型ではＶＰＮを使用しても良い。
【００５７】
尚、図１では、コンテンツ・管理サーバ１００は、１つの端末として構成されているが、図２に示すように、処理負荷を分散させるために、コンテンツサーバ１１０と管理サーバ１０５を別構成にすることも可能である。
【００５８】
この場合は、例えば、コンテンツサーバ１１０で電子パンフレットＤＢと検索用ＤＢを管理し、管理サーバ１０５で課金ＤＢ及び印刷履歴ＤＢを管理する。また、管理サーバ１０５で実行する後述する課金処理を別途、課金専用端末１５０で実行するようにしても良い。
【００５９】
次に、図１のコンテンツ・管理サーバ１００、パンフレット作成ＰＣ１３５、パンフレット作成ＰＣ１３５、旅行会社サーバ１３０、取扱店サーバ１４０、業務ＰＣ−Ａ１８０、業務ＰＣ−Ｂ１７０、あるいは図２のコンテンツサーバ１１０、管理サーバ１０５及び課金専用端末１５０の各種端末のハードウェア構成について、図３を用いて説明する。
【００６０】
図３は本発明の実施形態の各種端末のハードウェア構成を示す図である。
【００６１】
図３において、ＣＰＵ２１、ＲＡＭ２２、ＲＯＭ２３、ＬＡＮアダプタ２４、ビデオアダプタ２５、キーボード２６、マウス２７、ハードディスク２８、ＣＤ−ＲＯＭドライブ２９はそれぞれシステムバス２０を介して互いに接続されている。システムバス２０は、例えば、ＰＣＩバス、ＡＧＰバス、メモリバス等を意味する。また、図３では、各バス間の接続用チップやキーボードインタフェースやいわゆるＳＣＳＩやＡＴＡＰＩのような入出力用インタフェースは省略されている。
【００６２】
ＣＰＵ２１は四則演算や比較演算等の各種の演算や、ハードウェアやソフトウェアの制御を行う。ＲＡＭ２２には、ハードディスク２８やＣＤ−ＲＯＭドライブ２９に装着されたＣＤ−ＲＯＭやＣＤ−Ｒ等の記憶媒体から読み出されたオペレーションシステムのプログラムやアプリケーションプログラム等が記憶され、これらはＣＰＵ２１の制御の元に実行される。
【００６３】
ＲＯＭ２３にはオペレーションシステムと協働してハードディスク等への入出力を司るいわゆるＢＩＯＳ等が記憶される。ＬＡＮアダプタ２４は、ＣＰＵ２１によって制御されるオペレーションシステムの通信プログラムと協働して通信回線１９０を介した外部との通信を行う。ビデオアダプタ２５はディスプレイ装置に出力する画像信号を生成し、キーボード２６やマウス２７は各種指示を入力するために用いられる。
【００６４】
ハードディスク２８はオペレーションシステムや以下に示す各端末で実行されるフローチャートのステップに対応する部分を実行するためのアプリケーションプログラムや、各種データ、データベース、テーブルを記憶している。また、本発明で説明される各種データベースやテーブルも記憶している。
【００６５】
ＣＤ−ＲＯＭドライブ２９はＣＤ−ＲＯＭやＣＤ−ＲやＣＤ−Ｒ／Ｗ等の記憶媒体を装着してアプリケーションプログラムをハードディスク２８にインストールするのに用いる。尚、ＣＤ−ＲＯＭドライブの代わりにＣＤ−ＲドライブやＣＤ−Ｒ／ＷドライブやＭＯドライブ等を用いても良いのは言うまでもない。
【００６６】
まず、図１の印刷管理システムで実行するパンフレットの印刷及びその印刷に伴う課金を行うパンフレット印刷処理について、図４を用いて説明する。
【００６７】
図４は本発明の実施形態のパンフレット印刷処理を示すフローチャートである。
【００６８】
尚、図４では、一例として、図１のシステム構成において、業務ＰＣ−Ａ１８０、印刷装置Ａ１６０、コンテンツ・管理サーバ１００、コンテンツサーバ１１０間で実行する場合を例に挙げて説明する。
【００６９】
まず、ステップＳ５０１で、オペレータの操作に基づいて、業務ＰＣ−Ａ１８０において、電子パンフレットを印刷するために、その電子パンフレットの構成要素となる旅行商品を検索するための旅行商品検索画面（図５）を表示する。ステップＳ５０２で、旅行商品検索画面を介して検索条件を入力し、コンテンツ・管理サーバ１００へ送信する。
【００７０】
ここで、図５の旅行商品検索画面について説明する。
【００７１】
図５は本発明の実施形態の旅行商品検索画面の一例を示す図である。
【００７２】
図５の旅行商品検索画面５００において、５０１〜５０５は各種旅行条件を入力するための入力フィールドである。ここでは、旅行条件として、目的地域、旅行カテゴリ、旅行ポイント（食事、ショッピング）、ホテルのランク、食事の有無を指定可能である。もちろん、これ以外にも、各種旅行条件（例えば、国、利用可能施設等、周辺スポット）を指定可能に設計することが可能である。
【００７３】
また、５０６及び５０７は、上記の旅行条件を満足する期間範囲条件及び料金範囲条件を指定する入力フィールドである。図５の例では、期間範囲及び料金範囲を指定する例を示しているが、もちろん、期間上限や料金上限等の他の条件を指定することも可能である。
【００７４】
そして、以上の各入力フィールドでの条件入力が完了した後、検索ボタン１０１０が押下されると、業務ＰＣ−Ａ１８０は、旅行商品検索画面５００で入力された各種条件を検索条件として、コンテンツ・管理サーバ１００へ送信する。
【００７５】
図４の説明に戻る。
【００７６】
ステップＳ５２１で、コンテンツ・管理サーバ１００は、業務ＰＣ−Ａ１８０より検索条件を受信し、その検索条件を一旦ＲＡＭ２２に記憶する。ステップＳ５２２で、受信した検索条件に該当する旅行商品をコンテンツサーバ１１０内の検索用ＤＢから検索する。ステップＳ５２３で、検索条件に該当する旅行商品の有無を判定する。検索条件に該当する旅行商品がない場合（ステップＳ５２３でＮＯ）、その旨を示すエラー情報を業務ＰＣ−Ａ１８０へ送信する。この場合、業務ＰＣ−Ａ１８０は、ステップＳ５０３で、そのエラー情報を受信すると、それを表示する。
【００７７】
一方、ステップＳ５２３で、検索条件に該当する旅行商品がある場合（ステップＳ５２３でＹＥＳ）、ステップＳ５２５に進み、コンテンツ・管理サーバ１００は、検索条件に該当する旅行商品群の一覧からなる一覧情報を業務ＰＣ−Ａ１８０へ送信する。
【００７８】
ステップＳ５０４で、業務ＰＣ−Ａ１８０は、コンテンツ・管理サーバ１００から一覧情報を受信すると、その一覧情報である検索結果一覧画面（図６）を表示する。
【００７９】
ここで、図６の検索結果一覧画面について説明する。
【００８０】
図６は本発明の検索結果一覧画面の一例を示す図である。
【００８１】
図６の検索結果一覧画面６００において、６０１は検索条件に合致する旅行商品リストであり、リストの各行には旅行商品に関する各種情報（発売元、旅行名称、出発日、料金、申込数、残席、航空会社）が表示されている。
【００８２】
また、旅行商品リスト６０１の各行の先頭には、その旅行商品の印刷の実行の有無を指定するためのチェックボックスが用意されている。特に、チェックボックスにチェックをすると、その旅行商品をパンフレットとして印刷するためのパンフレット情報をコンテンツ・管理サーバ１００から受信することが可能になる。
【００８３】
更に、旅行商品リストの各行の最後には、詳細表示ボタンが用意されており、この詳細表示ボタンを押下すると、該当する旅行商品の詳細を表示することが可能となる。
【００８４】
６０２は旅行商品リスト６０１から更に所望の旅行商品を絞り込むためのキーワードを入力するための入力フィールドである。また、６０３は絞込検索ボタンであり、入力フィールド６０２にキーワードが入力された場合に押下すると、そのキーワードに該当する旅行商品を旅行商品リスト６０１から検索する。
【００８５】
６０４はリスト印刷ボタンであり、旅行商品リスト６０１を印刷する場合に押下する。６０５はパンフレット情報要求ボタンであり、旅行商品リスト６０１でチェックした旅行商品を選択情報として、コンテンツ・管理サーバ１００へ送信することにより、その選択情報に対応するパンフレット情報を受信することが可能になる。
【００８６】
図４の説明に戻る。
【００８７】
ステップＳ５０５で、業務ＰＣ−Ａ１８０において、検索結果一覧画面６００のパンフレット情報要求ボタン６０５が押下されると、旅行商品リスト６０１でチェックした旅行商品を選択情報として、コンテンツ・管理サーバ１００へ送信する。
【００８８】
ステップＳ５２６で、コンテンツ・管理サーバ１００は、業務ＰＣ−Ａ１８０から選択情報を受信し、その選択情報を一旦ＲＡＭ２２に記憶する。ステップＳ５２７で、受信した選択情報に対応する旅行商品から構成されるパンフレット情報をコンテンツサーバ１１０内の電子パンフレットＤＢから取得し、それを業務ＰＣ−Ａ１８０へ送信する。
【００８９】
尚、このパンフレット情報には、このパンフレット情報を利用した不正な印刷を防止するためのチェックデータが付加されている。
【００９０】
ステップＳ５０６で、業務ＰＣ−Ａ１８０は、コンテンツ・管理サーバ１００よりパンフレット情報を受信し、表示する。ステップＳ５０７で、業務ＰＣ−Ａ１８０から、表示したパンフレット情報の印刷指示の有無を判定する。印刷指示がない場合（ステップＳ５０７でＮＯ）、印刷指示があるまで、待機する。あるいは、ステップＳ５０４やステップＳ５０１に戻って、処理をやり直すようにしても良い。
【００９１】
一方、ステップＳ５０７において、印刷指示がある場合（ステップＳ５０７でＹＥＳ）、ステップＳ５０８に進み、印刷指示をコンテンツ・管理サーバ１００へ送信する。
【００９２】
尚、この印刷指示には、不正な印刷を防止するための暗号チェックデータが付加されており、後述する課金処理Ｉで利用する。また、印刷指示には、各種印刷条件（印刷枚数、カラー／モノクロ、印刷サイズ、片面／両面等、加えて、パンフレット内に広告の掲載の可否の情報）が含まれる。特に、広告の掲載を許可する場合には、取扱店は、掲載する広告数に基づいて印刷に伴う課金を軽減（広告費控除）することが可能である。
【００９３】
ステップＳ５２８で、コンテンツ・管理サーバ１００は、業務ＰＣ−Ａ１８０から印刷指示を受信すると、その印刷指示を一旦ＲＡＭ２２に記憶する。そして、その印刷指示に基づいて、パンフレット情報を印刷するための印刷データを生成する。次に、ステップＳ５２９で、その印刷データの印刷に伴う課金処理Ｉを実行する。尚、この処理の詳細については後述する。
【００９４】
尚、印刷指示に広告掲載可の情報が含まれる場合、このステップＳ５２８での印刷データ生成時に、例えば、電子パンフレットデータの各データをタグで分類しておき、「旅程」を示すタグに含まれる文字列をキーにしてコンテンツ管理サーバ１００のハードディスク２８又は不図示の広告サーバのハードディスクに含まれる広告ＤＢ（広告主から依頼された広告の文字や画像を書誌事項と共に登録したデータベース）を検索して、該当する広告を印刷データに組み込んでも良い。
【００９５】
このように構成することで、旅行で訪問する場所及びその近傍の店舗の広告を掲載することが可能になり、広告への反響が大幅に改善される。その結果、広告主から見ると効率の良い広告が可能になり、旅行会社や取扱店は広告単価を高くして印刷コストを一層下げることが可能になる。
【００９６】
次に、ステップＳ５３０で、コンテンツ・管理サーバ１００は、生成した印刷データを業務ＰＣ−Ａ１８０が使用する印刷装置Ａ１６０へ送信する。一方で、その印刷データの印刷によって発生する印刷料金一覧（図７）を業務ＰＣ−Ａ１８０へ送信する。また、その印刷データによる印刷数が所定枚数を越えた場合（あるいは取扱店側の印刷コストの負担比率が変更される場合）には、その旨を示すワーニングを業務ＰＣ−Ａ１８０へ送信する。
【００９７】
尚、このステップＳ５３０では、印刷データを直接印刷装置に送信するために、例えば、いわゆるＩＰＰ（インターネットプリンティングプロトコル）を用いる。また、後述する図８のステップＳ６２９でも同様である。
【００９８】
ここで、図７の印刷料金一覧画面について説明する。
【００９９】
図７は本発明の実施形態の印刷料金一覧画面の一例を示す図である。
【０１００】
図７の印刷料金一覧画面７００において、７０１は印刷を行ったパンフレットの印刷料金リストであり、リストの各行にはパンフレットを構成する旅行商品の各種情報（発売元、旅行名称、出発日、印刷日時、基本印刷料金、修正印刷料金）が表示されている。
【０１０１】
また、印刷料金リスト７０１の最後には、詳細表示ボタンが用意されており、この詳細表示ボタンを押下すると、該当する旅行商品の詳細を表示することが可能である。
【０１０２】
７０２はリスト印刷ボタンであり、印刷料金リスト７０１を印刷する場合に押下する。また、７０３及び７０４はそれぞれ前ページ及び次ページボタンであり、印刷料金リスト７０１で現在表示されているパンフレット以外のパンフレットの印刷料金リスト７０１を参照するためのボタンである。
【０１０３】
特に、前ページボタン７０３を押下すると、現在のパンフレット以前に作成されたパンフレットの印刷料金リスト７０１を表示することが可能であり、逆に、次ページボタン７０４を押下すると、現在のパンフレット以降に作成されたパンフレットの印刷料金リスト７０１を表示することが可能である。
【０１０４】
ステップＳ５４１で、印刷装置Ａ１６０は、コンテンツ・管理サーバ１００より印刷データを受信する。ステップＳ５４２で、その印刷データに基づいてパンフレットを印刷する。ステップＳ５４３で、印刷装置Ａ１６０は、その印刷結果（印刷枚数、印刷日時等）をコンテンツ・管理サーバ１００へ送信する。
【０１０５】
ステップＳ５３１で、コンテンツ・管理サーバ１００は、印刷装置Ａ１６０より印刷結果を受信し、その印刷結果を一旦ＲＡＭ２２に記憶する。ステップＳ５３２で、その受信した印刷結果に基づいて、印刷履歴ＤＢを更新する。ステップＳ５３３で、受信した印刷結果に基づいて、課金処理ＩＩを実行する。尚、この処理の詳細については後述する。
【０１０６】
次に、図２の印刷管理システムでパンフレット印刷処理を実現する場合について、図８を用いて説明する。
【０１０７】
図８は本発明の実施形態のパンフレット印刷処理の別の例を示すフローチャートである。
【０１０８】
尚、図８は、図４のコンテンツ・管理サーバ１００で実行される処理を、コンテンツサーバ１１０と管理サーバ１０５に分散した構成に相当するものである。特に、ステップＳ６０１〜ステップＳ６０８及びステップＳ６２１〜ステップＳ６２８は、図４のステップＳ５０１〜ステップＳ５０８及びステップＳ５２１〜ステップＳ５２８に対応する。
【０１０９】
但し、図４では、これらの処理が業務ＰＣ−Ａ１８０とコンテンツ・管理サーバ１００間で実行するのに対し、図８では、業務ＰＣ−Ａ１８０とコンテンツサーバ１１０間で実行する。
【０１１０】
その後、図４でコンテンツサーバ・管理サーバ１００で実行していた課金処理Ｉを、図８では、印刷装置Ａ１６０で実行する。
【０１１１】
つまり、ステップＳ６２９で、コンテンツサーバ１１０は、印刷データを業務ＰＣ−Ａ１８０が使用する印刷装置Ａ１６０へ送信する。
【０１１２】
その後、印刷装置Ａ１６０は、ステップＳ６４１で、コンテンツサーバ１１０より印刷データを受信する。ステップＳ６４２で、その印刷データに基づいてパンフレットを印刷する。ステップＳ６４３で、印刷データの印刷に伴う課金処理Ｉを実行する。ステップＳ６４４で、印刷装置Ａ１６０は、その印刷結果を管理サーバ１０５へ送信する。
【０１１３】
一方で、その印刷データの印刷によって発生する印刷料金一覧（図７）を業務ＰＣ−Ａ１８０へ送信する。また、その印刷データによる印刷数が所定枚数を越えた場合（あるいは取扱店側の印刷コストの負担比率が変更される場合）には、その旨を示すワーニングを表示させるための表示情報（具体的には、ワーニングを含むダイアログ画面やＨＴＭＬ等）を業務ＰＣ−Ａ１８０へ送信する。
【０１１４】
そして、管理サーバ１０５は、図４のステップＳ５３１〜ステップＳ５３３に対応するステップＳ６３１〜ステップＳ６３３を実行する。
【０１１５】
図８では、印刷データをコンテンツサーバ１１０で作成する構成としたが、業務ＰＣ−Ａ１８０上で作成する構成としても良い。この構成でのパンフレット印刷処理について、図９を用いて説明する。
【０１１６】
図９は本発明の実施形態のパンフレット印刷処理の別の例を示すフローチャートである。
【０１１７】
尚、図９において、ステップＳ７０１〜ステップＳ７０７及びステップＳ７２１〜ステップＳ７２７は、図８のステップＳ６０１〜ステップＳ６０７及びステップＳ６２１〜ステップＳ６２７に対応する。
【０１１８】
その後、図８でコンテンツサーバ１１０で実行していた印刷データの生成及び印刷装置Ａ１６０への送信を、図９では、業務ＰＣ−Ａ１８０で実行する。
【０１１９】
つまり、ステップＳ７０８で、業務ＰＣ−Ａ１８０は、印刷データを生成する。次に、ステップＳ７０９で、その印刷データを印刷装置Ａ１６０へ送信する。
【０１２０】
その後、印刷装置Ａ１６０は、図８のステップＳ６４１〜ステップＳ６４４に対応するステップＳ７４１〜ステップＳ７４４を実行する。また、管理サーバ１０５は、図８のステップＳ６３１〜ステップＳ６３３に対応するステップＳ７３１〜ステップＳ７３３を実行する。
【０１２１】
図９では、課金処理Ｉを印刷装置Ａ１６０で実行する構成としたが、業務ＰＣ−Ａ１８０上で実行する構成としても良い。この構成でのパンフレット印刷処理について、図１０を用いて説明する。
【０１２２】
図１０は本発明の実施形態のパンフレット印刷処理の別の例を示すフローチャートである。
【０１２３】
尚、図１０において、ステップＳ８０１〜ステップＳ８０９及びステップＳ８２１〜ステップＳ８２７は、図９のステップＳ７０１〜ステップＳ７０９及びステップＳ７２１〜ステップＳ７２７に対応する。
【０１２４】
その後、図１０で印刷装置Ａ１６０で実行していた課金処理Ｉを、図１０では、業務ＰＣ−Ａ１８０で実行する。
【０１２５】
つまり、ステップＳ８１０で、業務ＰＣ−Ａ１８０は、印刷結果を印刷装置Ａ１６０より受信する。次に、ステップＳ８１１で、受信した印刷結果を出力した印刷に伴う課金処理Ｉを実行する。ステップＳ８１２で、課金処理Ｉによって生成した課金情報を管理サーバ１０５へ送信する。
【０１２６】
ステップＳ８２８で、管理サーバ１０５は、課金情報を業務ＰＣ−Ａ１８０より受信する。ステップＳ８２９で、受信した課金情報に基づいて、印刷履歴ＤＢを更新する。ステップＳ８３０で、受信した課金情報に基づいて、課金処理ＩＩを実行する。
【０１２７】
特に、図１０の処理では、課金処理Ｉを業務ＰＣ−Ａ１８０で実行するので、印刷データによる印刷数が所定枚数を越えた場合（あるいは取扱店側の印刷コストの負担比率が変更される場合）をより迅速に知ることができる。
【０１２８】
以上、図４、図８〜図１０で説明したパンフレット印刷処理は一例であり、システム全体の負荷を分散したり、用途や目的、端末の所属先に応じて、各種処理を実行する端末を適宜設定することが可能である。
【０１２９】
例えば、図２に示す印刷管理システムにおいては、課金専用端末１５０で上述の課金処理Ｉ及びＩＩを実行するようにしても良い。また、図１０のステップＳ８０８〜ステップＳ８１２を業務ＰＣ−Ａ１８０ではなく、印刷装置Ａ１６０で実行する構成とすることも可能である。
【０１３０】
次に、上述の課金処理Ｉの詳細について、図１１を用いて説明する。
【０１３１】
図１１は本発明の実施形態の課金処理Ｉの詳細を示すフローチャートである。
【０１３２】
尚、上述したように、課金処理Ｉを実行する端末は、様々な構成例が想定されるが、図１１では、図４のコンテンツ・管理サーバ１００で実行する場合を例に挙げて説明する。
【０１３３】
まず、ステップＳ９２１で、処理対象の印刷履歴データ（図１２）を印刷履歴ＤＢから照会する。ここでの処理対象の印刷履歴データの照会は、ステップＳ５２８で生成した印刷データと同一の印刷データの印刷履歴データ（印刷枚数等）を照会する。
【０１３４】
ステップＳ９２２で、照会した印刷履歴データ（同一の印刷データの印刷枚数）と、ステップＳ５２８で生成した印刷データに基づくパンフレット印刷の発行予定数とに基づいて、そのパンフレット印刷に対する課金率（印刷料金の負担比率）を算出する。ステップＳ９２３で、印刷に利用した印刷装置の機種に対する印刷コストに課金率を掛けて、パンフレット１ページ当たりに課金する課金基本額を算出する。
【０１３５】
この課金率は、課金率テーブルとして、コンテンツ管理サーバに１００のハードディスク２８に記憶されており、例えば、旅行商品発売元側は全体として見ると、パンフレット発行予定数の内、所定割合以下（７０％以下）の場合では全額を旅行商品発売元が負担する。また、発行予定数の７１％〜７５％については、取扱店が３割と旅行商品発売元が７割負担し、７６％〜８５％では取扱店と旅行商品発売元が半分づつ負担する。更に、８６％以上では取扱店が全額負担する。
【０１３６】
この課金率は各取扱店毎に設定することが可能であり、全ての取扱店で共通にすることも可能である。更に、各販売店毎の売上実績に応じて変更することも可能である。
【０１３７】
具体的なデータ構造としては、取扱店コード、当該取扱店の発行予定数、発行割合（Ｆｒｏｍ）、発行割合（Ｔｏ）、発売元負担率、取扱店負担率、補正係数の各項目からなる。
【０１３８】
例えば、取扱店の取扱店コードが０１０２３４、当該発行予定数が１５０部、発行割合が０％〜７０％で、発売元負担率１００％、取扱店負担率０％、補正係数１である場合は、データ構造は「０１０２３４、１５０、０、７０、１００、０、１」となる。
【０１３９】
また、取扱店の取扱店コードが０１０２３４、当該発行予定数が１５０部、発行割合が７１％〜７５％で、発売元負担率７０％、取扱店負担率３０％、補正係数０．９である場合は、データ構造は「０１０２３４、１５０、７１、７５、７０、３０、０．９」となる。
【０１４０】
ここで発行予定数とは、従来紙で当該取扱店に配布していた数を基準として定められる数である。また、補正係数は、例えば、当該取扱店の前月分や最近３ヶ月の販売実績等に基づいて定まる係数であり、この補正係数が０．９であれば、取扱店負担率が３割の場合でも、実際の負担金額は課金基本額に０．９を乗じた金額になる。
【０１４１】
更に、この課金率テーブルを旅行商品発売元毎に定義したり、旅行発売元毎・旅行商品毎に定義することも可能である。このような場合は、課金率テーブルには、旅行発売元コードと商品区分の２つの項目が更に加わる。また、広告の有無により課金額を変える場合、課金率テーブルには広告費控除額の項目が更に加わる。広告費控除額は、広告主からの広告料を基にして広告により控除される金額（例えば、１ページ当たり２円）が記憶されている。
【０１４２】
尚、図８や図１０のように課金処理Ｉを業務処理ＰＣ−Ａ１８０で実行する場合は、業務処理ＰＣ−Ａ１８０は、コンテンツ管理サーバ１００の課金率テーブルの内容を当該取扱店分を定期的にダウンロードしてハードディスク２８に記憶し、それを参照して課金計算を実行する。
【０１４３】
また、図９のように課金処理Ｉを印刷装置Ａ１６０で実行する場合は、印刷装置Ａ１６０はコンテンツ管理サーバ１００の課金率テーブルの内容を当該取扱店分を定期的にダウンロードしてハードディスクに記憶し、それを参照して課金計算を実行する。
【０１４４】
次に、印刷履歴データについて、図１２を用いて説明する。
【０１４５】
図１２は本発明の実施形態の印刷履歴データの一例を示す図である。
【０１４６】
図１２では、パンフレット毎の印刷履歴データとして、取扱店毎に固有に付与されている取扱店コード、印刷したパンフレットを構成する旅行商品の商品区分番号、パンフレットのページ数（印刷枚数）、印刷日時、印刷指示を行った端末に固有に付与されている端末ＩＤ、パンフレット１ページ当たりのコストに印刷頁数を乗じた基本課金額、取扱店負担率と後述する売上実績に基づいた補正係数によって基本課金額を補正した補正金額（実際の課金額）、パンフレット情報を生成した際に付加したチェックデータ、後述するチェックデータの判定結果（正常：○、異常：×）を有している。
【０１４７】
図１１の説明に戻る。
【０１４８】
次に、ステップＳ９２４で、業務ＰＣ−Ａ１８０が記憶している売上テーブル（図１３）を参照して、売上実績に基づく課金基本額の補正（売上実績割引）を行う。例えば、この補正としては、前月売上金額が所定金額以上の場合は、上述したように、補正係数は０．９となり、取扱店の負担金額となる課金基本額を１０％減免（割引）する。
【０１４９】
ここで、売上テーブルについて、図１３を用いて説明する。
【０１５０】
図１３は本発明の実施形態の売上テーブルの一例を示す図である。
【０１５１】
図１３の売上テーブルでは、パンフレット毎に、取扱店コード、商品区分、印刷の申込を行った申込日時、端末ＩＤ、売上金額、旅行商品を販売した顧客に固有に付与される顧客ＩＤ、その顧客の実際の旅行の出発日を管理している。
【０１５２】
尚、この売上テーブルは、例えば、コンテンツ・管理サーバ１００のハードディスク２８に記憶されている。また、売上テーブルの各レコードと、印刷履歴ＤＢの対応する印刷履歴データはリンクしており、必要に応じて、双方のレコードから必要な情報を取得することが可能となっている。
【０１５３】
図１１の説明に戻る。
【０１５４】
次に、ステップＳ９２５で、印刷指示に含まれる広告費控除額を考慮した印刷料金の補正を行う。尚、この広告費控除額は、例えば、課金処理ＩＩによって月単位で広告主毎に設定される。
【０１５５】
次に、ステップＳ９２６で、業務ＰＣ−Ａ１８０に送信したパンフレット情報（例えば、図４のステップＳ５２７）に含まれるチェックデータと、業務ＰＣ−Ａ１８０から受信した印刷指示データ（例えば、図４のステップＳ５０８）に含まれる暗号化チェックデータを比較する。ステップＳ９２７で、比較結果に基づいて、チェックデータが整合しているか否かを判定する（印刷指示の正当性を判定する）。
【０１５６】
整合している場合（ステップＳ９２７でＹＥＳ）、ステップＳ９２８に進み、真正な印刷履歴データとして、その印刷履歴データの印刷に対する課金額を確定する。そして、その課金額を暗号化して、印刷履歴データと対応づけて課金ＤＢに記憶する。そして、ステップＳ９２９で、正常な印刷が実行された旨を示すフラグをたてた印刷履歴データを作成して、印刷履歴ＤＢを更新する。
【０１５７】
尚、この課金ＤＢには、パンフレット毎の課金額に加えて、課金基本額、売上実績割引、広告費控除が課金額に対応づけて記憶される。
【０１５８】
一方、ステップＳ９２７で、整合しない場合（ステップＳ９２７でＮＯ）、不正な印刷履歴データとして、その印刷履歴データの印刷に対する課金額は課金ＤＢに記憶せずに、ステップＳ９２９で、チェックデータの一致しない異常な印刷が実行された旨を示すフラグをたてた印刷履歴データを作成して、印刷履歴ＤＢを更新する。
【０１５９】
次に、上述の課金処理ＩＩについて、図１４を用いて説明する。
【０１６０】
図１４は本発明の実施形態の課金処理ＩＩの詳細を示すフローチャートである。
【０１６１】
尚、上述したように、課金処理ＩＩを実行する端末は、様々な構成例が想定されるが、図１４では、図４のコンテンツ・管理サーバ１００で実行する場合を例に挙げて説明する。また、上述の課金処理Ｉがパンフレット単位での課金処理であるのに対し、課金処理ＩＩは、所定期間（例えば、半月、１月、２月）内で発生した各パンフレットの課金額を集計して、その課金総額と、広告費、売上実績等に基づいて、最終的な取扱店に対する決済額（最終課金額）を決定する課金処理である。
【０１６２】
まず、ステップＳ１０２６で、月度処理の実施時期であるか否かを判定する。実施時期でない場合（ステップＳ１０２６でＮＯ）、処理を終了する。一方、実施時期である場合（ステップＳ１０２６でＹＥＳ）、ステップＳ１０２７に進み、課金ＤＢの１ヶ月分の合計課金額を各取扱店（あるいは、代理店や支店）毎に集計する。この集計では、課金基本額、売上実績割引、広告費控除、課金額を集計する。
【０１６３】
次に、ステップＳ１０２８で、今月分の新規広告費控除額を集計する。ステップＳ１０２９で、集計した広告費控除額に基づいて、広告費控除額を更新する。ステップＳ１０３０で、先月分の売上テーブルを照会して、各取扱店毎に売上実績によるを算出する。次に、ステップＳ１０３１で、その売上実績に基づいて課金率テーブルの補正係数を更新する。
【０１６４】
更に、ステップＳ１０３２で、ハードディスク２８に予め記憶されている印刷コスト総額と、ステップＳ１０２７で集計した合計課金額に基づいて、電子パンフレットを利用した印刷によって削減できた印刷コストの削減金額を集計する。
【０１６５】
尚、この予め記憶されている印刷コスト総額とは、旅行商品発売元の旅行会社が従来より提供する印刷パンフレット（印刷パンフレット）を発行予定数印刷した場合の印刷コスト総額である。
【０１６６】
そして、本実施形態では、従来の形態の印刷パンフレットを、コンテンツ・管理サーバ１００で生成した電子パンフレットに基づいて作成することで削減できた印刷コスト（削減金額）の一部を取扱店にペイバックする。これにより、取扱店は、電子パンフレットを利用した場合の恩恵を授かることができる。加えて、印刷パンフレットの発行部数と、電子パンフレットの印刷回数に基づいて、次回に行う印刷パンフレットの発行部数をある程度予測して、その予測情報を旅行会社サーバ１３０あるいはパンフレット作成ＰＣ１３５へ通知することで、より最適なパンフレット作成計画を立てることが可能となる。
【０１６７】
次に、ステップＳ１０３３で、削減金額に所定の割合（例えば、０．３）を乗じて、旅行商品発売元から取扱店へペイバックするペイバック金額を集計する。そして、そのペイバック金額の合計金額を各取扱店毎の売上金額で配分して、取扱店毎のペイバック金額を算出する。
【０１６８】
ステップＳ１０３４で、最後に、旅行商品発売元と取扱店の双方の負担すべき正味印刷コストと取扱店別のペイバック金額に基づいて、相殺処理を実行し、最終的に取扱店から課金する最終課金額を算出する。そして、ステップＳ１０３５で、その最終課金額に基づいて、課金ＤＢを更新する。その後、この課金ＤＢで管理される課金額に基づいて、取扱店に対する決済が履行される。
【０１６９】
以上説明したように、本実施形態によれば、以下のような効果を達成することができる。
【０１７０】
１）印刷パンフレットの印刷実績と電子パンフレットの印刷回数の印刷実績を管理しておき、パンフレットの種類毎に、次回印刷パンフレットの当初発行部数を制御することができる。そのため、印刷パンフレットの当初発行部数を大幅に削減（例えば、４０％減）することができると共に、割高な電子パンフレットの印刷を最小限に抑制することができる。
【０１７１】
２）電子パンフレットの印刷は、印刷パンフレットが欠品した場合に限られ、消費者に対しては、関心がある旅行の案内と旅行約款からなるパンフレットを印刷して提供することができるので、パンフレットの総印刷コストを下げることができる。
【０１７２】
例えば、１００ページの印刷パンフレットのコストが１００円で（１円／頁）、従来の環境で、１０万部のパンフレットを作成する場合には、総印刷コストは、印刷パンフレット１０万部×１００円＝１０００万円となる。
【０１７３】
これに対し、本実施形態の印刷管理システムの導入し、かつ電子パンフレットの印刷コストが頁当たり２０円である場合において、印刷パンフレットを６万部を当初発行し、残りは、適宜電子パンフレットを利用するとすると、総印刷コストは、印刷パンフレット６万部×１００円＝６００万円と、例えば、電子パンフレットで、５０００人分（１０万部の５％）の１０頁（全体の１０％）からなる電子パンフレットで印刷したとすると、５０００×１０×２０＝１００万円の合計７００万円となる。
【０１７４】
つまり、従来環境に比べて、本実施形態の印刷管理システムでは、印刷コストが、１０００万円−７００万円＝３００万円、つまり、従来より３０％の印刷コストを削減することができる。
【０１７５】
また、電子パンフレットによる印刷は、複数の旅行会社から関心がある旅行商品を収集した場合に実行することにより、より効果のあるコスト削減を図ることができる。
【０１７６】
また、電子パンフレットを印刷するための印刷機としては、カラープリンタやカラー複合機が必要となるが、これらは、電子パンフレット印刷以外の通常業務用の印刷機として兼用することができる。また、従来のような、印刷パンフレットの配送費用や保管費用の低減も見込めるので、全体的なトータルコストを相当削減することができる。
【０１７７】
３）電子パンフレットのオンデマンド印刷により、印刷パンフレットの当初発行部数を大幅に削減したことによる機会損失を防止しつつ、印刷パンフレット（紙）の廃却を大幅に減らすことができ、環境保全に資することができる。
【０１７８】
４）印刷パンフレットの配布部数が減るので同じパンフレットを複数の棚に入れる場合が少なくなり、同じ棚数で多くのパンフレットを展示することができ、より多様な旅行商品を認知してもらうことができる。
【０１７９】
５）電子パンフレット導入前後の総印刷コストを算出して、コスト減少分の所定割合を旅行商品発売元から取扱店にペイバックする。特に、取扱店側で電子パンフレット印刷費用を負担した場合には、優先的にペイバックするように構成しているので、取扱店側の電子パンフレットの導入に伴う費用負担リスクを低減し、旅行会社と取扱店で利害一致の関係を構築することができる。
【０１８０】
６）一定数を超えると取扱店側のコスト負担が増えて行くので、他社商品の印刷パンフレットの安易な請求を防止することができる。
【０１８１】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１８２】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１８３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１８４】
その場合、プログラムの機能を有していれば、オブジェクトコード、インタプリタにより実行されるプログラム、ＯＳに供給するスクリプトデータ等の形態であっても良い。
【０１８５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ、ＤＶＤ−ＲＷ、ＤＶＤ＋Ｒ、ＤＶＤ＋ＲＷ）などがある。
【０１８６】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１８７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１８８】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１８９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０１９０】
【発明の効果】
以上説明したように、本発明によれば、印刷物の廃棄量を大幅に抑制し、印刷パンフレットの印刷・配布コスト及び電子パンフレットの印刷コストの合計額を略最小に抑制すると共に、旅行会社間相互や旅行会社と取扱店間での決済を簡単に行うことができる印刷管理装置、印刷装置、情報処理装置及びそれらの制御方法、プログラムを提供できる。
【図面の簡単な説明】
【図１】本発明の実施形態の印刷管理システムの構成を示す図である。
【図２】本発明の実施形態の印刷管理システムの別の構成を示す図である。
【図３】本発明の実施形態の各種端末のハードウェア構成を示す図である。
【図４】本発明の実施形態のパンフレット印刷処理を示すフローチャートである。
【図５】本発明の実施形態の旅行商品検索画面の一例を示す図である。
【図６】本発明の実施形態の検索結果一覧画面の一例を示す図である。
【図７】本発明の実施形態の印刷料金一覧画面の一例を示す図である。
【図８】本発明の実施形態のパンフレット印刷処理の別の例を示すフローチャートである。
【図９】本発明の実施形態のパンフレット印刷処理の別の例を示すフローチャートである。
【図１０】本発明の実施形態のパンフレット印刷処理の別の例を示すフローチャートである。
【図１１】本発明の実施形態の課金処理Ｉの詳細を示すフローチャートである。
【図１２】本発明の実施形態の印刷履歴データの一例を示す図である。
【図１３】本発明の実施形態の売上テーブルの一例を示す図である。
【図１４】本発明の実施形態の課金処理ＩＩの詳細を示すフローチャートである。
【符号の説明】
１００  コンテンツ・管理サーバ
１０５  管理サーバ
１１０  コンテンツサーバ
１３０  旅行会社サーバ
１３５  パンフレット作成ＰＣ
１４０  取扱店サーバ
１５０  課金専用端末
１６０  印刷装置Ａ
１７０  業務ＰＣ−Ｂ
１７５  印刷装置Ｂ
１８０  業務ＰＣ−Ａ
【図１】
2005018275.tif 000003
【図２】
2005018275.tif 000004
【図３】
2005018275.tif 000005
【図４】
2005018275.tif 000006
【図５】
2005018275.tif 000007
【図６】
2005018275.tif 000008
【図７】
2005018275.tif 000009
【図８】
2005018275.tif 000010
【図９】
2005018275.tif 000011
【図１０】
2005018275.tif 000012
【図１１】
2005018275.tif 000013
【図１２】
2005018275.tif 000014
【図１３】
2005018275.tif 000015
【図１４】
2005018275.tif 000016